【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
平底ポートのための継手アセンブリであって、前記継手アセンブリは、
第１の端部と第２の端部とを有するナットであって、前記ナットは、前記ナットを通る第１の通路を有し、前記ナットは、前記ナットの第１の端部から前記ナットの第２の端部まで縦方向に延在する溝を備え、前記溝は、前記ナットの外面から前記第１の通路まで半径方向にさらに延在する、ナットと、
管であって、前記管は、前記管を通る第２の通路を有し、前記管は、前記ナットの前記第１の通路に嵌合するように適合され、前記管は、第１の端部と第２の端部とを有し、前記管の第１の端部は、管シール面を有する、管と、
第１の端部と第２の端部とを有する移送管であって、前記移送管は、前記移送管を通る第３の通路を有し、前記管シール面は、前記移送管の第１の端部に近接して前記第３の通路内に位置し、前記移送管の第２の端部は、前記ナットによって固着されるように適合される、移送管と、
前記管シール面と接触し、前記第１の通路と流体連通するフェルールであって、前記フェルールは、前記ナットが平底ポートにおいてねじ式係合されるときに前記第１の通路をシールするように適合され、前記フェルールは、外径を有し、前記フェルールの一部は、前記管と前記移送管との間で円筒状に延在し、前記移送管は、前記フェルールの外径より大きい外径を有する、フェルールと
を含む、継手アセンブリ。
【請求項２】
前記管は、内側管と、外側管とを含む、請求項１に記載の継手アセンブリ。
【請求項３】
前記フェルールは、圧縮可能材料を含み、前記移送管および前記フェルールの内面のうちの少なくとも１つは、前記管との締まり嵌めを提供するように適合される、請求項１に記載の継手アセンブリ。
【請求項４】
前記移送管は、前記管よりも短い長さを有し、前記移送管の第１の端部は、前記フェルールの一部に衝合するように適合され、それによって、前記ナットが軸方向荷重を提供すると、前記フェルールを前記平底ポートに対して押勢する、請求項１に記載の継手アセンブリ。
【請求項５】
前記管は、金属を含み、前記移送管は、金属を含み、さらに、前記移送管は、その終端に凹部部分を含み、前記フェルールの一部は、前記凹部部分内に保持されるように適合され、それによって、前記管の一部との干渉シールを提供する、請求項１に記載の継手アセンブリ。
【請求項６】
前記管および前記フェルールはそれぞれ、生体適合性材料を含む、請求項１に記載の継手アセンブリ。
【請求項７】
前記管および前記フェルールのうちの少なくとも１つは、ポリエーテルエーテルケトン（ＰＥＥＫ）、ポリアリールエーテルケトン（ＰＡＥＫ）、ポリエーテルケトンケトン（ＰＥＫＫ）、フッ素化エチレンプロピレン（ＦＥＰ）、エチレンテトラフルオロエチレン（ＥＴＦＥ）、ポリテトラフルオロエチレン（ＰＴＦＥ）、パーフルオロアルコキシ（ＰＦＡ、パーフルオロアルコキシエチレンとも呼ばれる）、ポリクロロトリフルオロエチレン（ＰＣＴＦＥ）、ポリマーシース溶融シリカ（ＰＥＥＫＳｉｌ等）、溶融シリカ、およびホウ酸シリカのうちの少なくとも１つを含む、請求項１に記載の継手アセンブリ。
【請求項８】
前記管、前記移送管、および前記フェルールのうちの少なくとも１つは、さらに充填材を含む材料を含む、請求項１に記載の継手アセンブリ。
【請求項９】
前記充填材は、繊維を含む、請求項８に記載の継手アセンブリ。
【請求項１０】
前記充填材は、炭素繊維、ナノファイバ、または金属繊維のうちの少なくとも１つを含む、請求項９に記載の継手アセンブリ。
【請求項１１】
前記管の第２の端部および前記先端の端部はそれぞれ、平底ポートの底部に対して圧接されると、シールを提供するように適合される略平坦面を有する、請求項１に記載の継手アセンブリ。
【請求項１２】
前記フェルールは、前記平底ポートに対して圧接されると前記第１の通路をシールするように適合される略平坦面を有する、請求項１に記載の継手アセンブリ。
【請求項１３】
前記フェルールは、少なくとも１５，０００ポンド／平方インチの流体圧力に対して前記第１の通路をシールするように適合される、請求項１２に記載の継手アセンブリ。
【請求項１４】
前記フェルールは、少なくとも２０，０００ポンド／平方インチの流体圧力に対して前記第１の通路をシールするように適合される、請求項１２に記載の継手アセンブリ。
【請求項１５】
前記フェルールは、少なくとも２５，０００ポンド／平方インチの流体圧力に対して前記第１の通路をシールするように適合される、請求項１２に記載の継手アセンブリ。
【請求項１６】
前記ナットは、分析器具システムの構成要素における前記平底ポートと係合するように適合され、前記構成要素は、ポンプ、カラム、フィルタ、ガードカラム、弁、検出器、圧力調整器、リザーバ、脱ガス装置、デバブラ、ユニオン、Ｔ字管、クロス、アダプタ、スプリッタ、試料ループ、およびコネクタのうちのいずれか１つである、請求項１に記載の継手アセンブリ。
【請求項１７】
前記移送管は、管面シール端部に近接した内部傾斜面部分を含み、前記先端は、反対側に傾斜された外面部分を含む、請求項１に記載の継手アセンブリ。
【請求項１８】
前記ナットの第２の端部から延在する前記管の一部は、前記移送管の第２の端部を越えて延在する前記管の一部を含む、請求項１に記載の継手アセンブリ。
【請求項１９】
平底接続のための生体適合性継手アセンブリであって、前記継手アセンブリは、
ナットであって、前記ナットは、前記ナットを通して延在する第１の通路を有し、前記ナットは、第１の端部と第２の端部とを有し、前記ナットは、軸方向荷重を提供するように適合される、ナットと、
前記第１の通路内に位置する管であって、前記管は、前記管を通る第２の通路を有し、前記管は、前記ナットの第１の端部から延在する第１の端部と、前記ナット内の前記第１の通路を通して延在する部分と、前記ナットの第２の端部から延在する第２の端部とを有し、前記管の第２の端部は、管シール面をさらに含む、管と、
外径と第１の端部と第２の端部とを有する移送管であって、前記移送管は、前記移送管を通る第３の通路を有し、前記移送管の少なくとも第１の端部は、前記第１の通路内に位置し、前記移送管の第２の端部は、前記管の第２の端部に近接し、前記管の少なくとも一部は、前記第３の通路内に位置し、前記移送管に対して固着され、前記移送管の第２の端部は、前記管の第２の部分と前記移送管の第２の部分との間で円筒状凹部を画定する凹部部分を有する、移送管と、
管面シールと接触し、前記第２の通路と流体連通するフェルールであって、前記フェルールは、前記ナットが平底ポートにおいてねじ式係合されるときに前記第２の通路をシールするように適合され、前記フェルールは、外径を有し、前記フェルールの第１の部分は、前記移送管の前記凹部部分に位置し、前記フェルールの第１の部分は、前記管と前記移送管との間で円筒状に延在し、前記移送管の外径は、前記フェルールの外径より大きい、フェルールと
を含む、生体適合性継手アセンブリ。
【請求項２０】
前記フェルール、前記管、および前記移送管のうちの少なくとも１つは、生体適合性材料を含む、請求項１９に記載の継手アセンブリ。
【請求項２１】
前記フェルール、前記管、および前記移送管のうちの少なくとも１つは、ＰＥＥＫ、ＰＡＥＫ、ＰＥＫＫ、ＦＥＰ、ＥＴＦＥ、およびＰＴＦＥのうちの少なくとも１つを含む、請求項１９に記載の継手アセンブリ。
【請求項２２】
前記フェルールは、少なくとも１５，０００ポンド／平方インチの流体圧力に対して前記第２の通路をシールするように適合される、請求項１９に記載の継手アセンブリ。
【請求項２３】
前記ナットは、少なくとも１つのスロットを有する、請求項１９に記載の継手アセンブリ。
【請求項２４】
前記スロットは、前記ナットの縦方向長さに延在する、請求項２３に記載の継手アセンブリ。
【請求項２５】
前記スロットは、前記ナットの通路と前記ナットの外面との間に半径方向に延在する、請求項２４に記載の継手アセンブリ。
【請求項２６】
前記ナットは、前記平底ポートのねじ山付き部分とねじ式係合するように動作可能なねじ山付き部分をさらに含む、請求項１９に記載の継手アセンブリ。
【請求項２７】
平底ポートのための継手アセンブリであって、前記継手アセンブリは、
管であって、前記管は、前記管を通る第１の通路を有し、前記管は、第１の端部と第２の端部とを有するナットを通して延在する第２の通路に嵌合するように適合され、前記管は、第１の端部と第２の端部とを有する、管と、
外径と第１の端部と第２の端部とを有する移送管であって、前記移送管は、前記移送管を通る第３の通路を有し、前記管の少なくとも一部は、前記第３の通路内に位置し、前記管の第１の端部は、前記移送管の第１の端部に近接して位置し、前記移送管の第１の端部は、前記管と前記移送管との間の凹部部分を含み、前記移送管の第２の端部は、前記ナットによって固着されるように適合される、移送管と、
外径を有するフェルールであって、前記フェルールは、前記フェルールを通る第４の通路と、内側部分とを有し、前記フェルールは、前記管の第１の端部と接触し、前記フェルールは、前記内側部分において前記管の第１の端部を受容および保持するように適合され、前記フェルールは、前記平底ポートをシールするように適合され、前記フェルールの一部は、前記移送管の前記凹部部分において前記管と前記移送管との間で円筒状に延在し、前記移送管の外径は、前記フェルールの外径より大きい、フェルールと
を含む、継手アセンブリ。
【請求項２８】
前記管は、内側管と、外側管とを含む、請求項２７に記載の継手アセンブリ。
【請求項２９】
前記移送管および前記フェルールのうちの少なくとも１つは、前記管との締まり嵌めを提供するように適合される、請求項２７に記載の継手アセンブリ。
【請求項３０】
前記移送管は、前記管よりも短い長さを有し、前記移送管の一部は、前記移送管の前記凹部部分に位置する前記フェルールの一部に衝合するように適合される、請求項２７に記載の継手アセンブリ。
【請求項３１】
前記フェルールは、金属を含む、請求項２７に記載の継手アセンブリ。
【請求項３２】
前記フェルールは、前記平底ポートをシールするように適合される略平坦面を有する、請求項２７に記載の継手アセンブリ。
【請求項３３】
分析器具システムにおける継手アセンブリのためのナットであって、前記ナットは、
第１の端部および第２の端部と、前記ナットを通る通路と、分析器具システムにおける構成要素またはポートと係合するように適合されるねじ山付き部分と、前記ナットの縦方向長さに延在するスロットとを有するナットであって、前記スロットは、前記管の少なくとも一部の通路の一部への挿入または前記管の少なくとも一部の通路の一部からの除去を可能にするように適合される、ナット
を含む、ナット。
【手続補正２】
【補正対象書類名】明細書
【補正対象項目名】００３２
【補正方法】変更
【補正の内容】
【００３２】
本開示の継手アセンブリ、管類アセンブリ、および分析器具システムはそれぞれ、流体が０ｐｓｉ〜２５，０００ｐｓｉ、１，０００ｐｓｉ〜２０，０００ｐｓｉ、および／または２，５００ｐｓｉ〜１０，０００ｐｓｉの圧力を有する流体接続のための少なくとも１つのシール接続を提供するように適合される。そのようなシール接続は、ツールまたはフェルールを使用することなくユーザによって成されることができ、平底ポートを用いて成され得るように適合される。
本発明は、例えば、以下を提供する。
（項目１）
平底ポートのための継手アセンブリであって、
それを通して通路を有し、第１の端部と第２の端部とを有するナットを通して延在する通路に嵌合するように適合される、管であって、前記管は、第１の端部と第２の端部とを有し、前記管の第１の端部および第２の端部のうちの少なくとも１つは、ポート内にシールを形成するように適合される管シール面端部を有する、管と、
それを通して通路を有する、移送管であって、前記管の少なくとも一部は、前記移送管の通路内に位置し、前記移送管に対して固着される、移送管と、
前記管面シール端部と隣接し、接触する、先端であって、前記先端の一方の端部の少なくとも一部は、前記ナットの一部と係合するように適合されるポート内にシールを形成するように適合され、前記先端の一部は、前記管と前記移送管との間に位置する、先端と
を含む、継手アセンブリ。
（項目２）
前記管は、内側管と、外側管とを含む、項目１に記載の継手アセンブリ。
（項目３）
前記先端は、圧縮可能材料を含み、前記移送管および前記先端の内面のうちの少なくとも１つは、前記管との締まり嵌めを提供するように適合される、項目１に記載の継手アセンブリ。
（項目４）
前記移送管は、前記管よりも短い長さを有し、前記移送管の一方の端部は、前記先端の一方の端部の一部に衝合するように適合され、それによって、ナットが軸方向荷重を提供すると、前記先端をポート底部に対して押勢する、項目１に記載の継手アセンブリ。
（項目５）
前記管は、単一金属を含み、前記移送管は、金属を含み、さらに、前記移送管は、その終端に凹部部分を含み、前記先端は、前記凹部部分内に保持されるように適合され、それによって、前記管の一部との干渉シールを提供する、項目１に記載の継手アセンブリ。
（項目６）
前記管および前記先端はそれぞれ、生体適合性材料を含む、項目１に記載の継手アセンブリ。
（項目７）
前記管および前記先端のうちの少なくとも１つは、ポリエーテルエーテルケトン（ＰＥＥＫ）、ポリアリールエーテルケトン（ＰＡＥＫ）、ポリエーテルケトンケトン（ＰＥＫＫ）、フッ素化エチレンプロピレン（ＦＥＰ）、エチレンテトラフルオロエチレン（ＥＴＦＥ）、ポリテトラフルオロエチレン（ＰＴＦＥ）、パーフルオロアルコキシ（ＰＦＡ、パーフルオロアルコキシエチレンとも呼ばれる）、ポリクロロトリフルオロエチレン（ＰＣＴＦＥ）、ポリマーシース溶融シリカ（ＰＥＥＫＳｉｌ等）、溶融シリカ、またはホウ酸シリカのうちの少なくとも１つを含む、項目１に記載の継手アセンブリ。
（項目８）
前記管、前記移送管、および前記先端のうちの少なくとも１つは、さらに充填材を含む材料を含む、項目１に記載の継手アセンブリ。
（項目９）
前記充填材は、繊維を含む、項目８に記載の継手アセンブリ。
（項目１０）
前記充填材は、炭素繊維、ナノファイバ、または金属繊維のうちの少なくとも１つを含む、項目９に記載の継手アセンブリ。
（項目１１）
前記管の第２の端部および前記先端の端部はそれぞれ、平底ポートの底部に対して圧接されると、シールを提供するように適合される略平坦面を有する、項目１に記載の継手アセンブリ。
（項目１２）
前記管の第２の端部、前記先端の端部、またはその両方は、平底ポートの底部に対して圧接されると、シールを提供するように適合される略平坦面を有する、項目１に記載の継手アセンブリ。
（項目１３）
前記シールは、少なくとも１５，０００ｐｓｉの流体圧力に耐えるために十分である、項目１１または１２に記載の継手アセンブリ。
（項目１４）
前記シールは、少なくとも２０，０００ｐｓｉの流体圧力に耐えるために十分である、項目１１または１２に記載の継手アセンブリ。
（項目１５）
前記シールは、少なくとも２５，０００ｐｓｉの流体圧力に耐えるために十分である、項目１１または１２に記載の継手アセンブリ。
（項目１６）
分析器具システムの構成要素におけるポートと係合するように適合される、ナットをさらに含み、前記構成要素は、ポンプ、カラム、フィルタ、ガードカラム、弁、検出器、圧力調整器、リザーバ、脱ガス装置、デバブラ、ユニオン、Ｔ字管、クロス、アダプタ、スプリッタ、試料ループ、またはコネクタのうちの任意の１つである、項目１に記載の継手アセンブリ。
（項目１７）
前記移送管は、前記管面シール端部に近接した内部傾斜面部分を含み、前記先端は、反対側に傾斜された外面部分を含む、項目１に記載の継手アセンブリ。
（項目１８）
前記ポートは、平底ポートを含む、項目１６に記載の継手アセンブリ。
（項目１９）
前記ポートは、錐状部分を伴うポートを含む、項目１８に記載の継手アセンブリ。
（項目２０）
前記ナットの第２の端部から延在する前記管の一部は、前記移送管の第２の端部を越えて延在する前記管の一部を含む、項目１に記載の継手アセンブリ。
（項目２１）
平底接続のための生体適合性継手アセンブリであって、
それを通して延在する通路を有し、第１の端部と第２の端部とを有する、ナットであって、前記ナットは、軸方向荷重を提供するように適合される、ナットと、
前記ナットの通路内に位置し、前記ナットの第１の端部から延在する第１の端部と、前記ナット内の通路を通して延在する部分と、前記ナットの第２の端部から延在する部分とを有し、前記ナットの第２の端部から延在する部分はさらに、管面シール端部を含む、管と、
それを通した通路と、第１の端部と、第２の端部とを有する、移送管であって、前記移送管の少なくとも第１の端部は、前記ナットの内側部分内に位置し、前記管の少なくとも一部は、前記移送管の通路内に位置し、前記移送管に対して固着される、移送管と、
前記管面シール端部と隣接し、接触する、先端であって、前記先端の一方の端部の少なくとも一部は、前記ナットと係合するように動作可能なポート内にシールを形成するように適合され、前記先端の一部は、前記管と前記移送管との間に位置する、先端と
を含む、生体適合性継手アセンブリ。
（項目２２）
前記先端、管、および移送管のうちの少なくとも１つは、生体適合性材料を含む、項目２１に記載の継手アセンブリ。
（項目２３）
少なくとも１つの前記フェルール、管、および移送管は、ＰＥＥＫ、ＰＡＥＫ、ＰＥＫＫ、ＦＥＰ、ＥＴＦＥ、またはＰＴＦＥのうちの少なくとも１つを含む、項目２１に記載の継手アセンブリ。
（項目２４）
前記シールは、少なくとも１５，０００ｐｓｉの流体圧力に耐えるために十分である、項目２１に記載の継手アセンブリ。
（項目２５）
前記ナットの第２の端部から延在する前記管の一部は、前記移送管の第２の端部を越えて延在する前記管の一部を含む、項目２１に記載の継手アセンブリ。
（項目２６）
前記ナットは、少なくとも１つのスロットを有する、項目１または２１に記載の継手アセンブリ。
（項目２７）
前記スロットは、前記ナットの縦方向長さに延在する、項目２６に記載の継手アセンブリ。
（項目２８）
前記スロットは、前記ナットの通路と前記ナットの外面との間に半径方向に延在する、項目２７に記載の継手アセンブリ。
（項目２９）
前記ナットはさらに、ポートのねじ山付き部分と係合するように動作可能なねじ山付き部分を含む、項目２１に記載の継手アセンブリ。
（項目３０）
平底ポートのための継手アセンブリであって、
それを通して通路を有し、第１の端部と第２の端部とを有するナットを通して延在する通路に嵌合するように適合される、管であって、前記管は、第１の端部と第２の端部とを有する、管と、
それを通して通路を有する、移送管であって、前記管の少なくとも一部は、前記移送管の通路内に位置し、前記移送管に対して固着される、移送管と、
それを通して通路を有し、内側部分を提供する、先端であって、前記先端は、前記管の第１の端部および第２の端部のうちの１つと隣接し、接触し、前記先端は、前記内側部分において前記管の第１の端部および第２の端部のうちの１つの一部を受容および保持するように適合され、前記先端の一方の端部の少なくとも一部は、ポート内にシールを形成するように適合され、前記先端の少なくとも一部は、前記管の一部と前記移送管の一部との間に位置する、先端と
を含む、継手アセンブリ。
（項目３１）
前記管は、内側管と、外側管とを含む、項目３０に記載の継手アセンブリ。
（項目３２）
前記移送管および前記先端の表面のうちの少なくとも１つは、前記管との締まり嵌めを提供するように適合される、項目３０に記載の継手アセンブリ。
（項目３３）
前記移送管は、前記管よりも短い長さを有し、前記移送管の一部は、前記先端の一部に衝合するように適合される、項目３０に記載の継手アセンブリ。
（項目３４）
前記先端は、金属を含む、項目３０に記載の継手アセンブリ。
（項目３５）
ポート内にシールを形成するように適合される前記先端の一方の端部の部分は、平底ポート内にシールを提供するように適合される略平坦面を有する、項目３０に記載の継手アセンブリ。
（項目３６）
分析器具システムにおける継手アセンブリのためのナットであって、
第１の端部および第２の端部と、それを通した通路と、分析器具システムにおける構成要素またはポートと係合するように適合されるねじ山付き部分と、前記ナットの縦方向長さに延在するスロットとを有するナットであって、前記スロットは、前記管の少なくとも一部の通路の一部への挿入またはその通路の一部からの除去を可能にするように適合される、ナット
を含む、ナット。